(57)【要約】【課題】  携帯型端末装置に加速度センサ等を搭載して端末装置の落下を検出すると、構成が複雑で高価であり、更に、誤検出によって必要以上に磁気ヘッドの退避を行う可能性がある。【解決手段】  磁気ディスク装置９を有する携帯型端末装置１のキー挿入口４にキー３を挿入する構造とし、このキー３をカールコード５の一端に接続し、カールコード５の他端にクリップ６を接続し、更に、キー挿入口４内のキー３を検出するフォトインタラプタ７を具備する。磁気ディスク装置９は電源供給停止により磁気ヘッドを磁気ディスク面から退避させるヘッド退避機構を有し、キー３がキー挿入口４から抜けたことが検出された場合には、磁気ディスク装置９への電源供給を停止し、磁気ヘッド退避機構を作動させる。【選択図】          図１
2005135483.tif 000002
【特許請求の範囲】
【請求項１】
磁気ディスク装置が搭載された電子機器のキー挿入口に挿入されたキーと、前記キーに一端が接続され、他端には使用者と接続する接続部材が接続されたコードと、前記キー挿入口内のキーを検出する手段とを備え、前記磁気ディスク装置には電源供給が停止された時に磁気ヘッドを磁気ディスク面から退避させるヘッド退避機構が設けられており、前記検出手段によりキーがキー挿入口から抜けたことが検出された場合には、前記磁気ディスク装置への電源供給を停止することを特徴とする磁気ディスク装置保護機構。
【請求項２】
前記検出手段は、前記キーを挟んで配置された発光素子と受光素子からなり、前記キーが抜けた時に前記発光素子からの光を受光素子が検出することにより、前記キーがキー挿入口から抜けたことを検出することを特徴とする請求項１に記載の磁気ディスク装置保護機構。
【請求項３】
前記接続部材は、使用者の衣服を挟むクリップであることを特徴とする請求項１〜２のいずれか１項に記載の磁気ディスク装置保護機構。
【請求項４】
前記キーは、鍵の機能を有することを特徴とする請求項１〜３のいずれか１項に記載の磁気ディスク装置保護機構。
【請求項５】
磁気ディスク装置が搭載された電子機器のキー挿入口に挿入された導電体からなるキーと、前記キーに一端が接続され、他端には使用者と接続する接続部材が接続されたコードと、前記キー挿入口内のキーに通電することによって前記キー挿入口内のキーを検出する手段とを備え、前記磁気ディスク装置には電源供給が停止された時に磁気ヘッドを磁気ディスク面から退避させるヘッド退避機構が設けられており、前記検出手段により前記キーがキー挿入口から抜けたことが検出された場合には、前記磁気ディスク装置への電源供給を停止することを特徴とする磁気ディスク装置保護機構。
【請求項６】
前記接続部材は、使用者の衣服を挟むクリップであることを特徴とする請求項５に記載の磁気ディスク装置保護機構。
【請求項７】
前記キーは、鍵の機能を有することを特徴とする請求項５〜６のいずれか１項に記載の磁気ディスク装置保護機構。
【発明の詳細な説明】
【技術分野】
【０００１】
本発明は、携帯電子機器等に組み込まれた磁気ディスク装置の落下等による損傷を最小限にするための保護機構に関するものである。
【背景技術】
【０００２】
近年、磁気ディスク装置はタブレット型コンピュータや携帯型端末等、手で持ちながら使われる機器への搭載が多くなっている。そのため、誤って機器を落下させると、落下による衝撃で磁気ディスクと磁気ヘッド先端が接触してしまい、それを原因として磁気ヘッドや磁気ディスクに傷が付いたりしてデータが破損してしまう可能性がある。
【０００３】
そこで、例えば、特開２００２−２０８２３９号公報には、状態検知センサと加速度センサとを用いることで、落下検出によって磁気ヘッドを退避する機構と、オフトラックを引き起こす加速度を検出して書き込みを中断しデータを保護する機構とを組み合わせた保護機構が提案されている（特許文献１参照）。
【特許文献１】特開２００２−２０８２３９号公報（段落００２０〜００２１）
【発明の開示】
【発明が解決しようとする課題】
【０００４】
特許文献１のものでは、状態検出センサと加速度センサを用いて落下と加速度を検出しているため、構成が複雑であるばかりか、高価になるという問題があった。また、センサを用いて落下を検知するため、手で持ちながら使われるタブレット型コンピュータや携帯型端末等に使用する場合には、落下の誤検出が発生することが予想され、磁気ヘッドの退避が頻繁に繰り返される恐れがあった。
【０００５】
本発明は、上記従来の問題点に鑑みなされたもので、その目的は、簡単な構成で且つ確実に磁気ディスク装置の保護を実現することが可能な磁気ディスク装置保護機構を提供することにある。
【課題を解決するための手段】
【０００６】
本発明は、上記目的を達成するため、磁気ディスク装置が搭載された電子機器のキー挿入口に挿入されたキーと、前記キーに一端が接続され、他端には使用者と接続する接続部材が接続されたコードと、前記キー挿入口内のキーを検出する手段とを備え、前記磁気ディスク装置には電源供給が停止された時に磁気ヘッドを磁気ディスク面から退避させるヘッド退避機構が設けられており、前記検出手段によりキーがキー挿入口から抜けたことが検出された場合には、前記磁気ディスク装置への電源供給を停止することを特徴とする。
【０００７】
また、本発明は、磁気ディスク装置が搭載された電子機器のキー挿入口に挿入された導電体からなるキーと、前記キーに一端が接続され、他端には使用者と接続する接続部材が接続されたコードと、前記キー挿入口内のキーに通電することによって前記キー挿入口内のキーを検出する手段とを備え、前記磁気ディスク装置には電源供給が停止された時に磁気ヘッドを磁気ディスク面から退避させるヘッド退避機構が設けられており、前記検出手段により前記キーがキー挿入口から抜けたことが検出された場合には、前記磁気ディスク装置への電源供給を停止することを特徴とする。
【発明の効果】
【０００８】
本発明の第一の効果は、キーが抜けることにより落下状態になったと判定し、複雑な処理をせずとも磁気ディスク装置への電源供給を停止することにより、磁気ディスク装置が有する電源オフ時の磁気ヘッド退避作業を行わせ、落下によって引き起こされる損傷を最小限にできることである。
【０００９】
第二の効果は、キーが挿入されなければ磁気ディスク装置への電源供給がされない為、抜けやすい構造を維持しつつキー形状を工夫することにより、セキュリティにも効果があり、キーを持っている使用者でなければ携帯型端末装置を使用できなくすることができることである。
【００１０】
第三の効果は、高価な加速度センサ等を用いて落下していること自体を検出しようとすると、センサからの信号増幅用アンプや信号処理専用のプロセッサを必要とするが、それらのセンサを使用しないため、構成の簡単化、小型化、低コスト化を実現できることである。
【００１１】
第四の効果は、加速度センサ等を用いて落下状態になったことを検出するには１Ｇ以下の加速度を検出しなければならず、携帯型端末装置のように手で持ちながら入力処理等を行う使用形態では、誤検出により必要以上にヘッド退避を行う恐れがあるが、本発明は加速度や落下状態を直接検出しないので、誤検出の恐れがなく、確実に落下検出を行うことができることである。
【発明を実施するための最良の形態】
【００１２】
次に、発明を実施するための最良の形態について図面を参照して詳細に説明する。まず、本発明は、携帯電子機器等に組み込まれた磁気ディスク装置の落下による損傷を最小限にする為、落下している最中に磁気ディスク装置への電源供給を停止し、磁気ディスク装置が有するヘッド退避機構を作動させるものである。
【００１３】
図１は本発明による磁気ディスク装置保護機構の一実施形態を示す構成図である。図１（ａ）は正面図、図１（ｂ）は側断面図である。図１において、１は携帯型端末装置であり、内部には磁気ディスク装置９が搭載されている。また、２は端末装置１のＬＣＤタッチパネル２、３はキー、４はキー３を挿入するキー挿入口である。キー３にはカールコード５の一端が接続され、カールコード５の他端にはクリップ６が接続されている。クリップ６は使用者の衣服等を挟み固定するのに用いられる。携帯型端末装置１としては、例えば、業務用の在庫管理或いはオーダリング等の処理を行う小型コンピュータ等であり、手で持った状態で入力処理等を行うコンピュータである。
【００１４】
また、７はキー３を検出するフォトインタラプタであり、キー３を挟んで発光素子と受光素子を有する。８は電源から磁気ディスク装置９への電源供給経路に設けられた電源供給停止回路であり、フォトインタラプタ７によりキー３がキー挿入口４から抜けたことが検出されると、磁気ディスク装置９への電源供給を停止する。ここで、磁気ディスク装置９は電源供給を停止すると、磁気ディスク媒体を回転駆動するスピンドルモータの逆起電力を利用して磁気ヘッドをディスク媒体面から退避させるヘッド退避機構を有する。これは、通常、磁気ディスク装置に搭載されている周知の技術である。
【００１５】
図２はフォトインタラプタ７を用いてキー３を検出する回路の一例を示す回路図である。キー３を挟んで発光素子２０と受光素子２１が設けられ、キー３がキー挿入口４に挿入された状態では発光素子２０からの光はキー３によって遮蔽されるため、受光素子２１は高抵抗となる。この状態では、電源供給停止回路８はオンとなっており、電源供給停止回路８を介して磁気ディスク装置９に電源が供給される。
【００１６】
一方、キー３がキー挿入口４から抜かれると、発光素子２０の光が受光素子２１で受光されるため、受光素子２１は低抵抗となる。この状態では、電源供給停止回路８はオフするため、磁気ディスク装置９への電源供給が停止される。ここで、キー３としては、キーが挿入されなければ磁気ディスク装置９への電源供給がされない為、キー挿入口４の形状と組み合わせて鍵の機能を持たせることも可能である。そうすることで、抜けやすい構造を維持しつつセキュリティにも効果があり、キー３を持っている使用者でなければ携帯型端末装置１を使用できなくすることができる。
【００１７】
次に、本実施形態の具体的な動作について説明する。まず、予めクリップ６を使用者の衣服等に固定しておき、キー３をキー挿入口４に挿入しておく。この状態で、使用者は携帯型端末装置１を使用する。この場合には、キー３がキー挿入口４に挿入されているため、フォトインタラプタ７によりキー３が挿入されていることが検出され、電源供給停止回路８がオンするため、磁気ディスク装置９に電源が供給される。
【００１８】
また、使用者が携帯型端末装置１を誤って落とした場合には、作業者の衣服等にカールコード５の一端に接続されたクリップ６が固定されている為、キー３はキー挿入口４から抜ける。この際、図２に示すフォトインタラプタ７の発光素子２０と受光素子２１の間のキー３が抜け、発光素子２０からの光を受光素子２１が受光するため、受光素子２１の抵抗値が下がり、電源供給停止回路８がオフし、磁気ディスク装置９への電源の供給を停止する。
【００１９】
電源供給を停止すると、上述のような磁気ディスク装置９が有する磁気ヘッド退避機構が作動する。即ち、電源供給停止により磁気ヘッドを磁気ディスク媒体面から退避させる退避作業が磁気ディスク装置９内で自動で行われ、携帯型端末装置１が床面等に落下した時には磁気ヘッドは既にディスク媒体面から退避している。従って、このようにキー３が抜けると、落下状態になったと判定し、磁気ディスク装置９への電源供給を停止することにより、磁気ディスク装置９が有する電源オフ時の磁気ヘッド退避作業が行われるため、落下によって引き起こされる損傷を最小限にすることができる。
【００２０】
図３は本発明の他の実施形態を示す図である。本実施形態はキー挿入口自体をスイッチとするものである。図３において、キー３は導体で作製され、キー３には図１と同様にカールコード５が接続され、カールコード５の他端にはクリップ６が接続されている。図３ではカールコード５とクリップ６は不図示である。携帯型端末装置１を使用する場合には、同様にクリップ６で使用者の衣服等を挟んでおく。
【００２１】
キー挿入口４には、導体で作製されたピン４１、ピン４２がそれぞれ導体で作製されたバネ５１、バネ５２を介して電極６０に接続されている。また、導体で作製されたピン４３、ピン４４がそれぞれ導体で作製されたバネ５３、バネ５２を介して電極６１に接続されており、このピン４１、４２と、ピン４３、４４との間にキー３を挿入する構造となっている。即ち、キー挿入口４自体がスイッチになる構造である。
【００２２】
携帯型端末装置１を使用する場合には、導体で作製されたキー３をキー挿入口４に挿入しておく。キー３が挿入されると、電源から電極６０、バネ５１、５２、ピン４１、４２、キー３、ピン４３、４４、バネ５３、５４、電極６１の経路で電流が流れる。この時には、電源供給停止回路８がオンし、磁気ディスク装置９へ電源を供給する。
【００２３】
また、携帯型端末装置１が落下すると、図１の実施形態と同様にキー３がキー挿入口４から抜けるため、電源から電極６１までの経路に電流が流れず、電源供給停止回路８はオフする。従って、この場合には、磁気ディスク装置９への電源供給が停止されるため、磁気ディスク装置９が有する電源オフ時の磁気ヘッド退避作業が行われ、携帯端末装置１の落下による損傷を最低限にすることができる。
【００２４】
なお、キー３の形状とキー挿入口４の形状を工夫してキー３に鍵の機能を持たせても良いことは、図１の実施形態と同様である。また、以上の実施形態では、本発明の磁気ディスク装置保護機構を携帯型端末装置に搭載する例を示したが、本発明はこれに限ることなく、全ての磁気ディスク装置を有する電子機器に使用可能である。特に、タブレット型コンピュータ等の手で持ちながら使用する電子機器に好適である。
【図面の簡単な説明】
【００２５】
【図１】本発明の磁気ディスク装置保護機構の一実施形態を示す図である。
【図２】図１の実施形態のフォトインタラプタを用いて携帯型端末装置の落下を検出する回路を示す図である。
【図３】本発明の他の実施形態を示す図である。
【符号の説明】
【００２６】
１  携帯型端末装置
２  ＬＣＤタッチパネル
３  キー
４  キー挿入口
５  カールコード
６  クリップ
７  フォトインタラプタ
８  電源供給停止回路
９  磁気ディスク装置
２０  発光素子
２１  受光素子
４１〜４４  ピン
５１〜５４  バネ
６０、６１  電極
【図１】
2005135483.tif 000003
【図２】
2005135483.tif 000004
【図３】
2005135483.tif 000005